(57)【要約】【課題】本発明は、被固定体及び設置面に対する加工が不要であり、容易に取り付けられ、十分な固定強度を有する固定具を提供することにある。【解決手段】本発明に係る装置の固定具Ａは、被固定体を設置する設置面に対して被固定体を固定する固定具であって、該固定具は、Ｌ字型基材１０を含み、少なくとも被固定体に接着する第一接着面１５と設置面に接着する第二接着面２５とを有し、該第一接着面１５及び該第二接着面２５には、それぞれ粘着マット３０、４０が備えられ、該粘着マット３０、４０の粘着面３０ａ、４０ａは被固定体及び設置面に対する接着性能を有するものである。【選択図】        図１
2014039609.tif 000002
【特許請求の範囲】
【請求項１】
被固定体を設置する設置面に対して被固定体を固定する固定具であって、
該固定具は、少なくとも被固定体に接着する第一接着面と設置面に接着する第二接着面とを有し、
該第一接着面及び該第二接着面には、それぞれ粘着マットが備えられ、
該粘着マットの粘着面は被固定体及び設置面に対する接着性能を有する
ことを特徴とする固定具。
【請求項２】
粘着マットの粘着面にはそれぞれ剥離紙が貼付されてなる
ことを特徴とする請求項１に記載の固定具。
【請求項３】
固定具は垂直部と水平部とを有するＬ字型基材を含み、
該垂直部は、水平部側を正面とする場合の背面側に第一接着面を含み、
該水平部は、その下面側に第二接着面を含む
ことを特徴とする請求項１又は２に記載の固定具。
【請求項４】
Ｌ字型基材は、その垂直部の正面側下方が湾曲して水平部の上面に連続する湾入面であり、水平部は垂直部直下まで達している
ことを特徴とする請求項３に記載の固定具。
【請求項５】
Ｌ字型基材は、その垂直部における背面側の上半部が第一接着面であり、
下半部には、正面側下方の湾入面形状に応じた形状の背面側湾曲面と垂直部直下の水平部端部上面とからなる凹部が形成され、
該凹部には垂直方向に１又は複数の桟が設けられてなる
ことを特徴とする請求項３又は４に記載の固定具。
【請求項６】
各粘着マットの粘着面にそれぞれ貼付される剥離紙は、そのいずれか一方又は双方が貼り付け片と引き抜き片とを備え、
該貼り付け片は、粘着マットの粘着面に貼付され、
該引き抜き片は、貼り付け片を粘着マットから引き剥がすためのものであって、貼り付け片を粘着マットに貼付したときに、引き抜き片は、これを貼り付け片上に折り重ねると、引き抜き片の端部が固定具の各接着面から外方にはみ出す長さを有する
ことを特徴とする請求項１〜５のいずれか１項に記載の固定具。
【請求項７】
被固定体を設置する設置面に対して被固定体を固定する固定具と該固定具を被固定体及び設置面のいずれか一方又は双方に接着するために使用する後付剥離紙とからなる固定具セットであって、
該固定具は、少なくとも被固定体に接着する第一接着面と設置面に接着する第二接着面とを有し、第一接着面及び第二接着面には、それぞれ粘着マットが備えられ、該粘着マットの粘着面は被固定体及び設置面に対する接着性能を有し、各粘着マットの粘着面にはそれぞれその粘着面に対応した大きさの剥離紙が貼付されてなり、
該後付剥離紙は、後付貼り付け片と後付引き抜き片とを備え、後付貼り付け片は、粘着マットの粘着面に貼付され、後付引き抜き片は、後付貼り付け片を粘着マットから引き剥がすためのものであって、後付貼り付け片を粘着マットに貼付したときに、後付引き抜き片は、これを後付貼り付け片上に折り重ねると、後付引き抜き片の端部が固定具の各接着面から外方にはみ出す長さを有する
ことを特徴とする固定具セット。
【請求項８】
被固定体を設置する設置面に対して被固定体を固定する固定具と該固定具を被固定体及び設置面のいずれか一方又は双方に接着するために使用する後付剥離紙とにより、設置面に対して被固定体を固定する方法であって、
該固定具は、少なくとも被固定体に接着する第一接着面と設置面に接着する第二接着面とを有し、第一接着面及び第二接着面には、それぞれ粘着マットが備えられ、該粘着マットの粘着面は被固定体及び設置面に対する接着性能を有し、各粘着マットの粘着面にはそれぞれ剥離紙が貼付されてなり、
該後付剥離紙は、後付貼り付け片と後付引き抜き片とを備え、後付貼り付け片は、粘着マットの粘着面に貼付され、後付引き抜き片は、後付貼り付け片を粘着マットから引き剥がすためのものであって、後付貼り付け片を粘着マットに貼付したときに、後付引き抜き片は、これを後付貼り付け片上に折り重ねると、後付引き抜き片の端部が固定具の各接着面から外方にはみ出す長さを有しており、
該固定具の第一接着面における粘着マットから剥離紙を剥離し、
該剥離紙を剥離した粘着面に対して後付剥離紙における後付貼り付け片を貼付し、
後付引き抜き片は、これを後付貼り付け片上に折り重ねて、後付引き抜き片の端部を固定具の第一接着面から外方にはみ出させ、
該固定具の第二接着面における粘着マットから剥離紙を剥離し、
該固定具の第一接着面及び第二接着面をそれぞれ被固定体及び設置面にあてがって、第二接着面の粘着マットを設置面に接着し、
第一接着面については、後付引き抜き片を引き抜くことにより後付貼り付け片を粘着マットから引き剥がして第一接着面の粘着マットを被固定体に接着する
ことを特徴とする設置面に対する被固定体の固定方法。
【請求項９】
被固定体を設置する設置面に対して被固定体を固定する固定具と該固定具を被固定体及び設置面のいずれか一方又は双方に接着するために使用する後付剥離紙とにより、設置面に対して被固定体を固定する方法であって、
該固定具は、少なくとも被固定体に接着する第一接着面と設置面に接着する第二接着面とを有し、第一接着面及び第二接着面には、それぞれ粘着マットが備えられ、該粘着マットの粘着面は被固定体及び設置面に対する接着性能を有し、各粘着マットの粘着面にはそれぞれ剥離紙が貼付されてなり、
該後付剥離紙は、後付貼り付け片と後付引き抜き片とを備え、後付貼り付け片は、粘着マットの粘着面に貼付され、後付引き抜き片は、後付貼り付け片を粘着マットから引き剥がすためのものであって、後付貼り付け片を粘着マットに貼付したときに、後付引き抜き片は、これを後付貼り付け片上に折り重ねると、後付引き抜き片の端部が固定具の各接着面から外方にはみ出す長さを有しており、
該固定具の第二接着面における粘着マットから剥離紙を剥離し、
該剥離紙を剥離した粘着面に対して後付剥離紙における後付貼り付け片を貼付し、
後付引き抜き片は、これを後付貼り付け片上に折り重ねて、後付引き抜き片の端部を固定具の第二接着面から外方にはみ出させ、
該固定具の第一接着面における粘着マットから剥離紙を剥離し、
該固定具の第一接着面及び第二接着面をそれぞれ被固定体及び設置面にあてがって、第一接着面の粘着マットを被固定体に接着し、
第二接着面については、後付引き抜き片を引き抜くことにより後付貼り付け片を粘着マットから引き剥がして第二接着面の粘着マットを設置面に接着する
ことを特徴とする設置面に対する被固定体の固定方法。
【請求項１０】
被固定体を設置する設置面に対して被固定体を固定する固定具と該固定具を被固定体及び設置面のいずれか一方又は双方に接着するために使用する後付剥離紙とにより、設置面に対して被固定体を固定する方法であって、
該固定具は、少なくとも被固定体に接着する第一接着面と設置面に接着する第二接着面とを有し、第一接着面及び第二接着面には、それぞれ粘着マットが備えられ、該粘着マットの粘着面は被固定体及び設置面に対する接着性能を有し、各粘着マットの粘着面にはそれぞれ剥離紙が貼付されてなり、
該後付剥離紙は、後付貼り付け片と後付引き抜き片とを備え、後付貼り付け片は、粘着マットの粘着面に貼付され、後付引き抜き片は、後付貼り付け片を粘着マットから引き剥がすためのものであって、後付貼り付け片を粘着マットに貼付したときに、後付引き抜き片は、これを後付貼り付け片上を折り重ねると、後付引き抜き片の端部が固定具の各接着面から外方にはみ出す長さを有しており、
該固定具における第一接着面及び第二接着面の一方の粘着マットから剥離紙を剥離し、
該剥離紙を剥離した粘着面に対して後付剥離紙における後付貼り付け片を貼付し、
後付引き抜き片は、これを後付貼り付け片上に折り重ねて、後付引き抜き片の端部を固定具の接着面から外方にはみ出させ、
該固定具における第一接着面及び第二接着面の他方の粘着マットから剥離紙を剥離し、
該剥離紙を剥離した粘着面に対して後付剥離紙における後付貼り付け片を貼付し、
後付引き抜き片は、これを後付貼り付け片上に折り重ねて、後付引き抜き片の端部を固定具の接着面から外方にはみ出させ、
該固定具の第一接着面及び第二接着面をそれぞれ被固定体及び設置面にあてがい、
第一接着面及び第二接着面の後付引き抜き片を引き抜くことにより後付貼り付け片を粘着マットから引き剥がして第一接着面の粘着マットを被固定体に接着し、第二接着面の粘着マットを設置面に接着する
ことを特徴とする設置面に対する被固定体の固定方法。
【発明の詳細な説明】
【技術分野】
【０００１】
本発明は、地震等による大きな揺れや振動に対して、電子レンジ、ガスレンジ、電気オーブン等の厨房機器、テレビ、オーディオ等の映像・音響機器等の家電製品、デスクトップパソコン，ワークステーション，ワープロ，卓上プリンタ，ゲーム機等のＯＡ機器、家具、観賞用水槽及び機械器具などの被固定体が、これら被固定体を設置する設置面において滑り移動、跳ね上がり、転倒及び転落するのを防止する固定具に関する。
【背景技術】
【０００２】
従来より、被固定体を固定する種々の固定具が提案されてきた。
【発明の概要】
【発明が解決しようとする課題】
【０００３】
しかしながら、従来の固定具は、被固定体及び設置面に対して何らかの加工が必要なものであったり、取り付け作業が複雑で面倒なものであったり、単に突っ張って固定するだけの固定強度が十分でないものであった。
【０００４】
そこで、本発明者は、鋭意研究を重ね、被固定体及び設置面に対する加工が不要であり、容易に取り付けられ、十分な固定強度を有する固定具を開発した。
【課題を解決するための手段】
【０００５】
本発明に係る固定具は、被固定体を設置する設置面に対して被固定体を固定する固定具であって、該固定具は、少なくとも被固定体に接着する第一接着面と設置面に接着する第二接着面とを有し、該第一接着面及び該第二接着面には、それぞれ粘着マットが備えられ、該粘着マットの粘着面は被固定体及び設置面に対する接着性能を有することを特徴とする。なお、粘着マットの粘着面にはそれぞれ剥離紙が貼付されてなる構成とするのが取扱い上望ましい。
【０００６】
以上のように構成された本発明に係る固定具は、粘着マットに貼付された剥離紙を剥がし、第一接着面における粘着マットの粘着面を被固定体に接着し、第二接着面を設置面に接着するだけで被固定体を設置面に固定することができる。
【０００７】
また、上記の固定具は、垂直部と水平部とを有するＬ字型基材を含み、該垂直部は、水平部側を正面とする場合の背面側に第一接着面を含み、該水平部は、その下面側に第二接着面を含む構成としてもよい。このように構成した場合には、一般に被固定体が垂直な外側面を有している場合が多く、被固定体を設置する設置面も水平面である場合が多いので、汎用性が高い。
【０００８】
上記Ｌ字型基材は、その垂直部の正面側下方が湾曲して水平部の上面に連続する湾入面であり、水平部は垂直部直下まで達している構成としてもよい。このように構成した場合には、水平部の設置面に対する接着面積が広くとれる。また、水平部が設置面に固定されている状態で垂直部が振動等により水平方向に揺動しても上記湾入面により水平部に対する垂直部の粘り強さが向上するので、垂直部と水平部との連続部で破損するおそれがない。
【０００９】
また、Ｌ字型基材は、その垂直部における背面側の上半部が第一接着面であり、下半部には、正面側下方の湾入面形状に応じた形状の背面側湾曲面と垂直部直下の水平部端部上面とからなる凹部が形成され、該凹部には垂直方向に１又は複数の桟が設けられてなる構成としてもよい。このように構成した場合には、凹部を形成することにより軽量化が図れると共に材料コストが削減でき、しかも、凹部に形成した垂直方向の桟により垂直部の強度が保持できる。
【００１０】
さらに、上記の固定具は、各粘着マットの粘着面にそれぞれ貼付される剥離紙が、そのいずれか一方又は双方が貼り付け片と引き抜き片とを備え、該貼り付け片は、粘着マットの粘着面に貼付され、該引き抜き片は、貼り付け片を粘着マットから引き剥がすためのものであって、貼り付け片を粘着マットに貼付したときに、引き抜き片は、これを貼り付け片上に折り重ねると、引き抜き片の端部が固定具の各接着面から外方にはみ出す長さを有する構成としてもよい。このように構成した場合には、粘着マットに貼付した貼り付け片上に引き抜き片を二つ折りして重ねた状態で、固定具を被固定体と設置面とにあてがい、その後、固定具の接着面から外方にはみ出た引き抜き片の端部を引き抜くだけで貼り付け片を引き剥がすことができ、粘着マットを容易に接着することができる。
【００１１】
本発明に係る固定具セットは、被固定体を設置する設置面に対して被固定体を固定する固定具と該固定具を被固定体及び設置面のいずれか一方又は双方に接着するために使用する後付剥離紙とからなる固定具セットであって、該固定具は、少なくとも被固定体に接着する第一接着面と設置面に接着する第二接着面とを有し、第一接着面及び第二接着面には、それぞれ粘着マットが備えられ、該粘着マットの粘着面は被固定体及び設置面に対する接着性能を有し、各粘着マットの粘着面にはそれぞれその粘着面に対応した大きさの剥離紙が貼付されてなり、該後付剥離紙は、後付貼り付け片と後付引き抜き片とを備え、後付貼り付け片は、粘着マットの粘着面に貼付され、後付引き抜き片は、後付貼り付け片を粘着マットから引き剥がすためのものであって、後付貼り付け片を粘着マットに貼付したときに、後付引き抜き片は、これを後付貼り付け片上に折り重ねると、後付引き抜き片の端部が固定具の各接着面から外方にはみ出す長さを有することを特徴とする。
【００１２】
上記の本発明に係る固定具セットは、これを用意しておけば、固定具の粘着マットから既設の剥離紙を剥がして後付剥離紙の後付貼り付け片を粘着面に貼付することにより、前述したように、接着面からはみ出た後付引き抜き片の端部を引き抜くだけで後付貼り付け片を粘着面から容易に剥がすことができ、したがって、粘着マットを容易に接着することができる。
【００１３】
本発明に係る設置面に対する被固定体の固定方法は、被固定体を設置する設置面に対して被固定体を固定する固定具と該固定具を被固定体に接着するための後付剥離紙とにより、設置面に対して被固定体を固定する方法であって、該固定具は、少なくとも被固定体に接着する第一接着面と設置面に接着する第二接着面とを有し、第一接着面及び第二接着面には、それぞれ粘着マットが備えられ、該粘着マットの粘着面は被固定体及び設置面に対する接着性能を有し、各粘着マットの粘着面にはそれぞれ剥離紙が貼付されてなり、該後付剥離紙は、後付貼り付け片と後付引き抜き片とを備え、後付貼り付け片は、粘着マットの粘着面に貼付され、後付引き抜き片は、後付貼り付け片を粘着マットから引き剥がすためのものであって、後付貼り付け片を粘着マットに貼付したときに、後付引き抜き片は、これを後付貼り付け片上に折り重ねると、後付引き抜き片の端部が固定具の各接着面から外方にはみ出す長さを有しており、該固定具の第一接着面における粘着マットから剥離紙を剥離し、該剥離紙を剥離した粘着面に対して後付剥離紙における後付貼り付け片を貼付し、後付引き抜き片は、これを後付貼り付け片上に折り重ねて、後付引き抜き片の端部を固定具の第一接着面から外方にはみ出させ、該固定具の第二接着面における粘着マットから剥離紙を剥離し、該固定具の第一接着面及び第二接着面をそれぞれ被固定体及び設置面にあてがって、第二接着面の粘着マットを設置面に接着し、第一接着面については、後付引き抜き片を引き抜くことにより後付貼り付け片を粘着マットから引き剥がして第一接着面の粘着マットを被固定体に接着することを特徴とする。
【００１４】
上記の本発明に係る設置面に対する被固定体の固定方法は、既設の剥離紙を剥がした後に後付剥離紙を貼付した固定具の第一接着面を被固定体に沿って下方にスライドさせることにより、既設の剥離紙を剥がした第二接着面を設置面に近接させて接着し、その後、第一接着面に貼付した後付剥離紙における後付引き抜き片を引き抜いて後付貼り付け片を引き剥がすことにより後付剥離紙を除去して、第一接着面を被固定体に接着することができるので、被固定体及び設置面に対して容易に固定具を取り付けられるばかりでなく、取り付けに失敗することがない。
【００１５】
また、本発明に係る設置面に対する被固定体の固定方法として、被固定体を設置する設置面に対して被固定体を固定する固定具と該固定具を被固定体に接着するための後付剥離紙とにより、設置面に対して被固定体を固定する方法であって、該固定具は、少なくとも被固定体に接着する第一接着面と設置面に接着する第二接着面とを有し、第一接着面及び第二接着面には、それぞれ粘着マットが備えられ、該粘着マットの粘着面は被固定体及び設置面に対する接着性能を有し、各粘着マットの粘着面にはそれぞれ剥離紙が貼付されてなり、該後付剥離紙は、後付貼り付け片と後付引き抜き片とを備え、後付貼り付け片は、粘着マットの粘着面に貼付され、後付引き抜き片は、後付貼り付け片を粘着マットから引き剥がすためのものであって、後付貼り付け片を粘着マットに貼付したときに、後付引き抜き片は、これを後付貼り付け片上に折り重ねると、後付引き抜き片の端部が固定具の各接着面から外方にはみ出す長さを有しており、該固定具の第二接着面における粘着マットから剥離紙を剥離し、該剥離紙を剥離した粘着面に対して後付剥離紙における後付貼り付け片を貼付し、後付引き抜き片は、これを後付貼り付け片上に折り重ねて、後付引き抜き片の端部を固定具の第二接着面から外方にはみ出させ、該固定具の第一接着面における粘着マットから剥離紙を剥離し、該固定具の第一接着面及び第二接着面をそれぞれ被固定体及び設置面にあてがって、第一接着面の粘着マットを被固定体に接着し、第二接着面については、後付引き抜き片を引き抜くことにより後付貼り付け片を粘着マットから引き剥がして第二接着面の粘着マットを設置面に接着するようにしてもよい。このような方法を採用した場合には、既設の剥離紙を剥がした後に後付剥離紙を貼付した固定具の第二接着面を設置面に沿って被固定体方向にスライドさせることにより、既設の剥離紙を剥がした第一接着面を被固定体に近接させて接着し、その後、第二接着面に貼付した後付剥離紙おける後付引き抜き片を引き抜いて後付貼り付け片を引き剥がすことにより後付剥離紙を除去して、第二接着面を設置面に接着することができるので、被固定体及び設置面に対して容易に固定具を取り付けられるばかりでなく、取り付けに失敗することがない。
【００１６】
さらに、本発明に係る設置面に対する被固定体の固定方法として、被固定体を設置する設置面に対して被固定体を固定する固定具と該固定具を被固定体に接着するための後付剥離紙とにより、設置面に対して被固定体を固定する方法であって、該固定具は、少なくとも被固定体に接着する第一接着面と設置面に接着する第二接着面とを有し、第一接着面及び第二接着面には、それぞれ粘着マットが備えられ、該粘着マットの粘着面は被固定体及び設置面に対する接着性能を有し、各粘着マットの粘着面にはそれぞれ剥離紙が貼付されてなり、該後付剥離紙は、後付貼り付け片と後付引き抜き片とを備え、後付貼り付け片は、粘着マットの粘着面に貼付され、後付引き抜き片は、後付貼り付け片を粘着マットから引き剥がすためのものであって、後付貼り付け片を粘着マットに貼付したときに、後付引き抜き片は、これを後付貼り付け片上を折り重ねると、後付引き抜き片の端部が固定具の各接着面から外方にはみ出す長さを有しており、該固定具における第一接着面及び第二接着面の一方の粘着マットから剥離紙を剥離し、該剥離紙を剥離した粘着面に対して後付剥離紙における後付貼り付け片を貼付し、後付引き抜き片は、これを後付貼り付け片上に折り重ねて、後付引き抜き片の端部を固定具の接着面から外方にはみ出させ、該固定具における第一接着面及び第二接着面の他方の粘着マットから剥離紙を剥離し、該剥離紙を剥離した粘着面に対して後付剥離紙における後付貼り付け片を貼付し、後付引き抜き片は、これを後付貼り付け片上に折り重ねて、後付引き抜き片の端部を固定具の接着面から外方にはみ出させ、該固定具の第一接着面及び第二接着面をそれぞれ被固定体及び設置面にあてがい、第一接着面及び第二接着面の後付引き抜き片を引き抜くことにより後付貼り付け片を粘着マットから引き剥がして第一接着面の粘着マットを被固定体に接着し、第二接着面の粘着マットを設置面に接着するようにしてもよい。このような方法を採用した場合には、既設の剥離紙を剥がした後に後付剥離紙を貼付した固定具の第一接着面を被固定体にあてがうと共に、既設の剥離紙を剥がした後に後付剥離紙を貼付した固定具の第二接着面を設置面にあてがい、その後、各接着面における後付剥離紙における後付引き抜き片を引き抜いて後付貼り付け片を引き剥がすことにより後付剥離紙を除去して、第一接着面を被固定体に接着すると共に第二接着面を設置面に接着することができるので、被固定体及び設置面に対して容易に固定具を取り付けられるばかりでなく、取り付けに失敗することがない。
【発明の効果】
【００１７】
以上のように、本発明に係る固定具は、被固定体に対して靭性のある十分な固定強度を有するものであり、また、全体の構造が簡単で、かつ、取り付けが極めて容易であって面倒な作業が不要であると共に特別の工具やパーツを必要とせず、しかも被固定体や設置面に対する影響が全くなく、汎用性が高く、商品価値が高く、作業性が極めてよく、固定具の接着に失敗しないという優れた効果を有するものである。
【００１８】
また、上記した本発明に係る固定具セットとして、固定具と後付剥離紙とを組み合わせて取り揃えておけば、固定具の剥離紙を剥がし、その部分に後付剥離紙の後付貼り付け片を貼付するだけで、被固定体を設置面に固定する準備が整うので、それ以外に工具やパーツが不要であるため、ユーザーにとって極めて便利である。
【００１９】
さらに、上記した本発明に係る設置面に対する被固定体の固定方法を採用すれば、誰でも簡単に被固定体を設置面に固定することができるので、極めて便利である。
【図面の簡単な説明】
【００２０】
【図１】本発明の実施例１に係る固定具の分解斜視図である。
【図２】本発明の実施例１に係る固定具の正面上方から見た斜視図である。
【図３】本発明の実施例１に係る固定具の底面下方から見た斜視図である。
【図４】本発明の実施例１に係る固定具の正面図である。
【図５】本発明の実施例１に係る固定具の背面図である。
【図６】本発明の実施例１に係る固定具の右側面図である。
【図７】図５におけるＶＩＩ-ＶＩＩ線断面図である。
【図８】本発明の実施例１に係る固定具の平面図である。
【図９】本発明の実施例１に係る固定具の底面図である。
【図１０】本発明の実施例１に係る固定具の使用状態を示す斜視図である。
【図１１】本発明の実施例１に係る後付剥離紙の分解斜視図である。
【図１２】本発明の実施例１に係る後付剥離紙の斜視図である。
【図１３】本発明の実施例１に係る後付剥離紙の保護シートを剥がす状態を示す斜視図である。
【図１４】本発明の実施例１に係る固定具における垂直部側の剥離紙を剥がす状態を示す斜視図である。
【図１５】本発明の実施例１に係る固定具の第一接着部に後付剥離紙を貼付しようとする状態を示す斜視図である。
【図１６】本発明の実施例１に係る固定具における水平部側の剥離紙を剥がす状態を示す斜視図である。
【図１７】本発明の実施例１に係る固定具を被固定体にあてがって、引き下げている状態を示す斜視図である。
【図１８】本発明の実施例１に係る固定具の第二接着部を設置面に接着した状態を示す概略斜視図である。
【図１９】本発明の実施例１に係る固定具をあてがった被固定体に対して、後付引き抜き片を引き抜く状態を示す斜視図である。
【図２０】本発明の実施例１に係る固定具の変更例であって、第一接着部に後付剥離紙を貼付しようとする状態を示す斜視図である。
【図２１】本発明の実施例１に係る固定具の変更例であって、固定具をあてがった被固定体に対して、後付引き抜き片を引き抜く状態を示す斜視図である。
【図２２】本発明の実施例２に係る固定具であって、その第一接着部を被固定体に接着した状態を示す概略斜視図である。
【図２３】本発明の実施例３に係る固定具を被固定体にあてがった状態を示す概略斜視図である。
【図２４】本発明の実施例４に係る固定具の斜視図である。
【図２５】本発明の実施例４に係る固定具の第１の変更例の斜視図である。
【図２６】本発明の実施例４に係る固定具の第２の変更例の斜視図である。
【発明を実施するための形態】
【００２１】
以下に本発明の好適な実施例を添付の図面に基づいて詳細に説明する。
【実施例１】
【００２２】
本実施例における固定具Ａ及び後付剥離紙Ｂについて説明する。固定具Ａは、被固定体Ｄを設置面Ｃに対して固定するものである。また、後付剥離紙Ｂは、固定具Ａを被固定体Ｄ及び設置面Ｃに接着するために使用するものである。固定具Ａは、図１〜図９に示すように、Ｌ字型基材１０、粘着マット３０、４０及び剥離紙３１、４１とから構成される。
【００２３】
［Ｌ字型基材について］
Ｌ字型基材１０は、垂直部１１と水平部２１とから構成され、垂直部１１の水平部２１側を正面とする場合において、垂直部１１の正面側下方が湾曲して水平部２１の上面２２に連続する緩やかな円弧からなる湾入面１３となっている。この湾入面１３は、図６に示すＬ字型基材１０の側面において、垂直部１１の背面下端と水平部２１の下面との交点ｐから湾入面１３までの距離ｈ、すなわち交点ｐから水平面に対して４５°方向の湾入面１３までの距離ｈが、垂直部１１の厚みｓ及び水平部２１の厚みｔの約２倍になるように形成されている。また、図７に示すように、水平部２１は、その垂直部側の端部２３が垂直部１１の直下まで達するように形成されている。
【００２４】
Ｌ字型基材１０は、図１に示すように、その垂直部１１の背面側の上半部には第一接着面１５が形成されている。また、図７に示すように、垂直部１１の背面側の下半部には、正面側下方の湾入面１３の形状に応じた形状の背面側湾曲面１６と垂直部直下の水平部端部２３の上面２６とからなる凹部領域Ｐが形成され、該凹部領域Ｐには垂直方向に背面側湾曲面１６から突出する３本の桟１７が形成されている。水平部２１は、その下面側のほぼ全体に第二接着面２５が形成されている。Ｌ字型基材１０には、上記のように凹部領域Ｐが形成されされているので軽量化が図れると共に材料コストが削減できる。また、凹部領域Ｐに形成した垂直方向の複数の桟１７を設けたことにより垂直部１１の強度が保持できる。
【００２５】
Ｌ字型基材１０は、図１及び図７に示すように、その垂直部１１の背面側の第一接着面１５に粘着マット３０が取り付けられており、水平部２１の下面の第二接着面２５に粘着マット４０が取り付けられている。また、粘着マット３０、４０は、固定具Ａが未使用の場合には、被固定体Ｄに接着させる粘着面３０ａ、４０ａに、ゴミ等が付着せず接着性能が維持できるように剥離紙３１、４１が貼付されている。
【００２６】
Ｌ字型基材１０は、その材質がポリカーボネートであり、同材質が好適である。しかしＬ字型基材１０の材質は、これに限られるものではなく、その他の硬質樹脂の他、金属や木材を使用してもよい。
【００２７】
［粘着マットについて］
粘着マット３０、４０としては、出願人が取り扱う商品名「プロセブン耐震マット」がもっとも最適である。商品名「プロセブン耐震マット」は、高い反発弾性により振動吸収性に優れたウレタンエラストマー製であり、粘着マット３０、４０の両面は粘着性を有しており、両粘着マット３０、４０の一方の面がそれぞれ第一接着面１５及び第二接着面２５に接着され、粘着マット３０、４０の他方の面３０ａ、４０ａがそれぞれ被固定体Ｄ及び設置面Ｃに接着される。その粘着性は、引き剥がそうとする力が急激に働いた場合、例えば、衝突による衝撃や地震などの震動により装置に急激な力が加わって装置が揺れ動いたり、跳ね上がろうとした場合における設置面Ｃから被固定体Ｄが離れようとする力に対しては強い粘着力を発揮して引き剥がれないように、すなわち粘着マット３０、４０はＬ字型基材１０と被固定体Ｄ及び設置面Ｃとが離間しないように働く。逆に粘着マット３０、４０に対して引き剥がそうとする力が緩やかに働いた場合には徐々に引き剥がれる剥離性能を有している。
【００２８】
上記のように構成された本実施例に係る固定具Ａは、第一接着面１５及び第二接着面２５の粘着マット３０、４０それぞれに貼付された剥離紙３１、４１を剥がし、第一接着面１５における粘着マット３０の粘着面３０ａを被固定体Ｄに接着し、第二接着面２５における粘着マット４０の粘着面４０ａを設置面Ｃに接着するだけで、被固定体Ｄを設置面Ｃに固定することができるものである。
【００２９】
また、一般に用いられている被固定体Ｄは、直方体形状をなしていて垂直な外側面を有している場合が多く、被固定体Ｄを設置する設置面Ｃも水平面である場合が多いため、本実施例に係る固定具Ａは、Ｌ字型基材１０を使用し、垂直部１１に第一接着面１５を設け、水平部２１に第二接着面２５を設けた構成であるので、汎用性が高い。
【００３０】
さらに上記Ｌ字型基材１０は、その垂直部１１の正面側下方を湾曲させることにより、水平部２１の上面２２に連続する緩やかな円弧からなる湾入面１３を形成しているので、水平部２１が設置面Ｃに固定されている状態で垂直部１１が振動等により水平方向に揺動しても、水平部２１に対する垂直部１１の角度変化に対して追随することができるので固定具Ａ全体の粘り強さが向上する。この湾入面１３は、垂直部１１の背面下端と水平部２１の下面との交点ｐから湾入面１３までの距離、すなわち交点ｐから水平面に対して４５°方向の湾入面１３までの距離ｈが、垂直部１１の厚みｓ及び水平部２１の厚みｔの約２倍になるように形成されている。この距離は１．５〜３倍の範囲が望ましく、１．５倍未満すなわち、隅角部を角丸にした、いわゆる角に通常のアールを形成した程度の場合であると垂直部と水平部との境界部分が脆弱となり、固定具Ａの強度が乏しくなるために破損するおそれがある。逆に３倍を超えると固定具Ａの粘り強さがなくなるが頑丈になるため強度上の問題はないが、材料コストが増大し、かつ重量が増大する上に嵩高くなる。
【００３１】
上記Ｌ字型基材１０は、その水平部２１が垂直部１１の直下まで達しているため、水平部２１の設置面Ｃに対する接着面積が広くとれるので、設置面Ｃに対する固定具Ａの固着安定度が向上する。
【００３２】
図１０は、被固定体Ｄとして電子レンジを例にとり、固定具Ａによって被固定体Ｄと設置面Ｃとを接着したことにより、被固定体Ｄが設置面Ｃに固定されている状態を示す。固定具Ａは、被固定体Ｄの左右それぞれに２箇所ずつ、計４箇所に接着され、かつ設置面Ｃに接着されることにより被固定体Ｄが設置面Ｃに固定されている。このように固定具Ａを使用して電子レンジＤを設置面Ｃに固定したことにより、設置面Ｃに水平方向及び上下方向の振動が加わっても、被固定体Ｄは設置面Ｃに対して左右方向、前後方向及び上下方向に移動することはなく、また、被固定体Ｄが設置面Ｃから飛び上がることもない。
【００３３】
なお、固定具Ａは被固定体Ｄの左右それぞれに１箇所ずつ、計２箇所に接着し、かつ設置面Ｃに接着することにより被固定体Ｄが設置面Ｃに固定するようにしてもよく、固定具Ａの使用個数は被固定体Ｄの大きさや重量及び設置面Ｃの状態に応じて適宜決定すればよい。
【００３４】
［後付剥離紙について］
図１１及び図１２は、後付剥離紙Ｂを示す。後付剥離紙Ｂは、固定具Ａを被固定体Ｄ及び設置面Ｃのいずれか一方又は双方に接着するために使用するものであって、後付貼り付け片５０と後付引き抜き片５１とから構成される。そのうちの後付貼り付け片５０は、剥離紙３１、４１を剥がした後の粘着マット３０、４０の粘着面に貼付される。この後付引き抜き片５１は、粘着マット３０、４０に貼付した後付貼り付け片５０を粘着マット３０、４０から引き剥がすためのものである。
【００３５】
後付剥離紙Ｂは、少なくともその後付貼り付け片５０が紙等からなる基材の一方の面にシリコン樹脂からなる剥離層を形成したものであって、剥離層を形成した面を剥離面５０ａとしたものである。後付貼り付け片５０は、未使用時に前記剥離面５０ａのシリコン樹脂が欠落して剥離性能が低下しないように接着性能を有する保護シートＥを貼付しておく。なお、この保護シートＥを必ずしも貼付しておかなくてもよく、剥離面５０ａがむき出しのままでもよい。
【００３６】
また、後付剥離紙Ｂは、後付貼り付け片５０を粘着マット３０、４０に貼付したときに、後付引き抜き片５１は、これを後付貼り付け片５０上に折り重ねると、後付引き抜き片５１の端部５１ａが固定具Ａの各接着面１５、２５から外方にはみ出す長さを有する構成である。
【００３７】
通常は後付剥離紙Ｂの生産性を向上させるために、後付貼り付け片５０及び後付引き抜き片５１の全長に亘ってシリコン樹脂からなる剥離層を形成し、図１２に示すように、保護シートＥを後付貼り付け片５０及び後付引き抜き片５１の全長に亘って貼付し、保護シートＥにおける後付貼り付け片５０と後付引き抜き片５１との境界に相当する箇所に切り目ｅを設け、後付貼り付け片５０側の保護シートＥのみを後付貼り付け片５０から剥がして使用できるように構成する。
【００３８】
［被固定体の固定方法］
次に、固定具Ａ及び後付剥離紙Ｂを使用して被固定体Ｄを設置面Ｃに固定する方法について詳述する。
【００３９】
まず、図１３に示すように、後付剥離紙Ｂから後付貼り付け片５０側の保護シートＥのみを剥がして剥離面５０ａを露出させ、第一接着面１５の粘着マット３０に貼付する準備をしておく。そして、図１４に示すように、固定具Ａから第一接着面１５に貼付されている剥離紙３１を剥がして粘着マット３０の粘着面３０ａを露出させる。
【００４０】
次に、図１５に示すように、剥離紙３１を剥離した粘着マット３０の粘着面３０ａに対し、後付引き抜き片５１の端部５１ａが粘着マット３０の上方側に位置するように、後付剥離紙Ｂにおける後付貼り付け片５０の剥離面５０ａを貼付する。このとき、後付引き抜き片５１は、これを後付貼り付け片５０上に折り重ねて、後付引き抜き片５０の端部５０ａを固定具Ａの第一接着面１５から外方にはみ出させておく。その後、図１６に示すように、第二接着面２５における粘着マット４０に貼付されている剥離紙４１を剥がす。
【００４１】
そして、図１７に示すように、固定具Ａの第一接着面１５及び第二接着面２５をそれぞれ被固定体Ｄ及び設置面Ｃにあてがう。すなわち、図１７の矢符ａで示すように固定具Ａの第一接着面１５を被固定体Ｄの側面に当接させ、その状態で固定具Ａを矢符ｂで示すように引き下げることにより、図１８に示すように、第二接着面２５の粘着マット４０を設置面Ｃに接着させる。
【００４２】
最後に、図１９に示すように、第一接着面１５における粘着マット３０に貼付した後付剥離紙Ｂにおける後付引き抜き片５１を、矢符ｃで示すように、上方に引き抜くことにより後付貼り付け片５０を粘着マット３０から引き剥がして第一接着面１５の粘着マット３０を被固定体Ｄの側面に接着することにより、被固定体Ｄは固定具Ａにより設置面Ｃに固定される。
【００４３】
なお、被固定体Ｄの設置環境により、後付引き抜き片５１を上方に引き抜くことが困難な場合には、図２０の変更例に示すように、剥離紙３１を剥離した粘着マット３０の粘着面３０ａに対し、被固定体Ｄに固定具Ａの粘着マット３０を接着したときに被固定体Ｄの前方に後付引き抜き片５１の端部５１ａがはみ出るように、後付剥離紙Ｂにおける後付貼り付け片５０の剥離面５０ａを貼付する。このようにすれば、図２１に示すように、後付引き抜き片５１を矢符ｄで示すように前方に引き抜くことができる。
【００４４】
上記のように、本実施例においては、既設の剥離紙３１を剥がした後に後付剥離紙Ｂを貼付した固定具Ａの第一接着面１５を被固定体Ｄに沿って下方にスライドさせることにより、既設の剥離紙４１を剥がした第二接着面２５を設置面Ｃに近接させて接着することができる。その後、第一接着面１５に貼付した後付剥離紙Ｂにおける後付引き抜き片５１を引き抜いて後付貼り付け片５０を引き剥がすことにより後付剥離紙Ｂを除去して、第一接着面１５を被固定体Ｄに接着することができる。したがって、被固定体Ｄ及び設置面Ｃに対して容易に固定具Ａを取り付けられるばかりでなく、取り付けに失敗することがない。
【００４５】
このように、本実施例においては、固定具Ａと後付剥離紙Ｂとからなる固定具セットを用意しておけば、固定具Ａの粘着マット３０から既設の剥離紙３１を剥がして後付剥離紙Ｂの後付貼り付け片５０を粘着面３０ａに貼付することにより、接着面１５からはみ出た後付引き抜き片５１の端部５１ａを引き抜くだけで粘着マット３０を容易に被固定体Ｄに接着することができる。
【実施例２】
【００４６】
本実施例は、実施例１と固定の方法が異なるものであり、実施例１に係る固定具Ａ及び後付剥離紙Ｂの構成は同一であるので、固定具Ａ及び後付剥離紙Ｂの説明は実施例１の説明及び符号を援用する。
【００４７】
まず、後付剥離紙Ｂから後付貼り付け片５０側の保護シートＥのみを剥がして剥離面５０ａを露出させ、第二接着面２５の粘着マット４０に貼付する準備をしておく。そして、固定具Ａから第二接着面２５に貼付されている剥離紙４１を剥がして粘着マット４０の粘着面４０ａを露出させる。
【００４８】
次に、剥離紙４１を剥離した粘着マット４０の粘着面４０ａに対し、後付引き抜き片５１の端部５１ａが粘着マット４０の水平方向外方に位置するように、後付剥離紙Ｂにおける後付貼り付け片５０の剥離面５０ａを貼付する。このとき、後付引き抜き片５１は、これを後付貼り付け片５０上に折り重ねて、後付引き抜き片５１の端部５１ａを固定具Ａの第二接着面２５から外方にはみ出させておく。その後、第一接着面１５における粘着マット３０に貼付されている剥離紙３１を剥がす。
【００４９】
そして、固定具Ａの第一接着面１５及び第二接着面２５をそれぞれ被固定体Ｄ及び設置面Ｃにあてがう。すなわち、固定具Ａの第二接着面２５を設置面Ｃの面上に当接させ、その状態で固定具Ａを水平方向にスライドさせて被固定体Ｄに押し当てることにより、図２２に示すように、第一接着面１５の粘着マット３０を被固定体Ｄに接着させる。
【００５０】
最後に、第二接着面２５における粘着マット４０に貼付した後付剥離紙Ｂにおける後付引き抜き片５１の端部５１ａを水平方向外方に引き抜くことにより後付貼り付け片５０を粘着マット４０から引き剥がして第二接着面２５の粘着マット４０を設置面Ｃに接着する。これにより、被固定体Ｄは固定具Ａにより設置面Ｃに固定される。
【００５１】
上記の実施例１にはない本実施例における作用効果は、第一接着面１５が被固定体Ｄの側面に接着された後、後付貼り付け片５０が第二接着面２５から引き剥がされていない状態においては、被固定体Ｄの位置決めを容易にやり直すことができる利点がある。
【実施例３】
【００５２】
本実施例は、実施例１と固定の方法が異なるものであり、実施例１に係る固定具Ａ及び後付剥離紙Ｂの構成は同一であるので、固定具Ａ及び後付剥離紙Ｂの説明は実施例１の説明及び符号を援用する。
【００５３】
まず、後付剥離紙Ｂを２枚用意し、各後付剥離紙Ｂから後付貼り付け片５０側の保護シートＥのみをそれぞれ剥がして剥離面５０ａを露出させ、第一接着面１５の粘着マット３０及び第二接着面２５の粘着マット４０に貼付する準備をしておく。そして、固定具Ａから第一接着面１５に貼付されている剥離紙３１を剥がして粘着マット３０の粘着面３０ａを露出させ、また、第二接着面２５に貼付されている剥離紙４１を剥がして粘着マット４０の粘着面４０ａを露出させる。
【００５４】
次に、剥離紙３１を剥離した粘着マット３０の粘着面３０ａに対し、後付引き抜き片５１が粘着マット３０の上方側に位置するように、後付剥離紙Ｂにおける後付貼り付け片５０の剥離面５０ａを貼付する。このとき、後付引き抜き片５１は、これを後付貼り付け片５０上に折り重ねて、後付引き抜き片５１の端部５１ａを固定具Ａの第一接着面１５から外方にはみ出させておく。また、剥離紙４１を剥離した粘着マット４０の粘着面４０ａに対し、後付引き抜き片５１が粘着マット４０の水平方向外方に位置するように、後付剥離紙Ｂにおける後付貼り付け片５０の剥離面５０ａを貼付する。このとき、後付引き抜き片５１は、これを後付貼り付け片５０上に折り重ねて、後付引き抜き片５１の端部５１ａを固定具Ａの第二接着面２５から外方にはみ出させておく。
【００５５】
そして、固定具Ａの第一接着面１５及び第二接着面２５をそれぞれ被固定体Ｄ及び設置面Ｃにあてがう。すなわち、固定具Ａの第一接着面１５を被固定体Ｄの側面に当接させた状態で固定具Ａを引き下げるか、又は、固定具Ａの第二接着面２５を設置面Ｃの面上に当接させた状態で固定具Ａを水平方向にスライドさせて被固定体Ｄに押し当てて、図２３の状態とする。
【００５６】
最後に、第一接着面１５における粘着マット３０に貼付した後付剥離紙Ｂにおける後付引き抜き片５１の端部５１ａを上方に引き抜くことにより後付貼り付け片５０を粘着マット３０から引き剥がして第一接着面１５の粘着マット３０を被固定体Ｄの側面に接着する。また、第二接着面２５における粘着マット４０に貼付した後付剥離紙Ｂにおける後付引き抜き片５１の端部５１ａを水平方向外方に引き抜くことにより後付貼り付け片５０を粘着マット４０から引き剥がして第二接着面２５の粘着マット４０を設置面Ｃに接着する。これにより、被固定体Ｄは固定具Ａにより設置面Ｃに固定される。
【００５７】
本実施例における実施例１にはない作用効果は、固定具Ａを被固定体Ｄ及び設置面Ｃに未接着の状態において、設置面Ｃに対する被固定体Ｄの固定状態及び固定具Ａを被固定体Ｄ及び設置面Ｃに接着した状態が確認できる利点がある。
【実施例４】
【００５８】
本実施例は、実施例１〜３における後付剥離紙Ｂを使用せず、実施例１〜３における固定具Ａの剥離紙３１、４１を後付剥離紙Ｂに置き換えたものである。なお、剥離紙３１、４１以外の固定具Ａの構成は実施例１と同様であるので、その説明は実施例１の説明及び符号を援用する。
【００５９】
本実施例に係る固定具Ａ’においては、各粘着マット３０、４０の粘着面３０ａ、４０ａにそれぞれ貼付される剥離紙３１’、４１’が、図２４に示すように、貼り付け片５０’と引き抜き片５１’とを備えたものである。該貼り付け片５０’は、粘着マット３０、４０の粘着面３０ａ、４０ａに貼付される。引き抜き片５１’は、貼り付け片５０’を粘着マット３０、４０から引き剥がすためのものである。貼り付け片５０’は、これを粘着マット３０、４０に貼付したときに、引き抜き片５１’は、これを貼り付け片５０’上に折り重ねると、引き抜き片５１’の端部５１ａ’が固定具Ａ’の各接着面１５、２５から外方にはみ出す長さを有する構成である。
【００６０】
本実施例における固定具Ａ’は上記のように構成されているので、図２４に示すように、粘着マット３０、４０に貼付した貼り付け片５０’上に引き抜き片５１’を二つ折りして重ねた状態で、固定具Ａ’を被固定体Ｄと設置面Ｃとにあてがい、その後、固定具Ａ’の各接着面１５、２５から外方にはみ出た引き抜き片５１’の端部５１ａ’を引き抜くだけで貼り付け片５０’を引き剥がすことができ、粘着マット３０、４０を被固定体Ｄ及び設置面Ｃに容易に接着することができる。なお、固定具Ａ’を被固定体Ｄと設置面Ｃとにあてがう前は、引き抜き片５１’を二つ折り状態にしておく必要はなく、コンパクトになるように適宜の形態にしておけばよい。
【００６１】
なお、本実施例においては、図２４に示すように、各粘着マット３０、４０の粘着面３０ａ、４０ａにそれぞれ貼付される剥離紙３１’、４１’が、貼り付け片５０’と引き抜き片５１’とを備えたものであるが、図２５に示す第１の変更例のように、粘着マット３０の粘着面３０ａ貼付される剥離紙３１’が、貼り付け片５０’と引き抜き片５１’とを備えた構成とし、粘着マット４０の粘着面４０ａには、実施例１〜３における剥離紙４１を貼付しておく構成としてもよい。また、図２６の第２の変更例に示すように、粘着マット４０の粘着面４０ａに貼付される剥離紙４１’が、貼り付け片５０’と引き抜き片５１’とを備えた構成とし、粘着マット３０の粘着面３０ａには、実施例１〜３における剥離紙３１を貼付しておく構成としてもよい。
【００６２】
以上のように構成された本実施例の固定具Ａ’は、実施例１〜３の場合におけるような剥離紙３１、４１を剥がして後付剥離紙Ｂに張り替える手間がなくなり、作業性が向上する利点がある。
【符号の説明】
【００６３】
Ａ…………固定具                  Ｂ…………後付剥離紙
Ｃ…………設置面                  Ｄ…………被固定体（電子レンジ）
Ｐ…………凹部領域                Ｅ…………保護シート
ｅ…………切り目                  ｐ…………交点
ｈ…………距離                    ｓ…………垂直部の厚み
ｔ…………水平部の厚み            １０………Ｌ字型基材
１１………垂直部                  １３………湾入面
１５………第一接着面              １６………垂直部の背面側湾曲面
１７………桟                      ２１………水平部
２２………水平部の上面            ２３………水平部の垂直部側端部
２５………第二接着面              ２６………水平部端部の上面
３０………粘着マット              ３０ａ……粘着面
３１………剥離紙                  ４０………粘着マット
４０ａ……粘着面                  ４１………剥離紙
５０………後付貼り付け片          ５０ａ……剥離面
５１………後付引き抜き片          ５１ａ……後付引き抜き片の端部
Ａ’………固定具                  ３１’……剥離紙
４１’……剥離紙                  ５０’……貼り付け片
５１’……引き抜き片              ５１ａ’…引き抜き片の端部
【図１】
2014039609.tif 000003
【図２】
2014039609.tif 000004
【図３】
2014039609.tif 000005
【図４】
2014039609.tif 000006
【図５】
2014039609.tif 000007
【図６】
2014039609.tif 000008
【図７】
2014039609.tif 000009
【図８】
2014039609.tif 000010
【図９】
2014039609.tif 000011
【図１０】
2014039609.tif 000012
【図１１】
2014039609.tif 000013
【図１２】
2014039609.tif 000014
【図１３】
2014039609.tif 000015
【図１４】
2014039609.tif 000016
【図１５】
2014039609.tif 000017
【図１６】
2014039609.tif 000018
【図１７】
2014039609.tif 000019
【図１８】
2014039609.tif 000020
【図１９】
2014039609.tif 000021
【図２０】
2014039609.tif 000022
【図２１】
2014039609.tif 000023
【図２２】
2014039609.tif 000024
【図２３】
2014039609.tif 000025
【図２４】
2014039609.tif 000026
【図２５】
2014039609.tif 000027
【図２６】
2014039609.tif 000028